(57)【要約】【課題】  着信表示発光部を筐体に直接超音波溶着することで固定すると、工数を裂かれるばかりでなく、解体時のリサイクルの困難性を増す。また溶着用のスペースを別途確保する必要がある。【解決手段】  着信表示発光部１にスナップフィット機構に順ずる構成を提供する。すなわち、弾性変形を行う係止爪１１に加圧することで弾性変形させ、着信表示発光部取付部２１を通過させる。通過後は係止爪１１が復元することで上縁部１３と係止爪１１が上部筐体外側カバー２を保持する。これにより着信表示発光部１を上部筐体外側カバー２に固定することを可能とする。【選択図】  図４
2006345391.tif 000002
【特許請求の範囲】
【請求項１】
弾性を有する係止爪と、
弾性を有さない支持端と、
弾性を有さない上縁部を含む着信表示発光部であって、
前記着信表示発光部は透光性を有することを特徴とする着信表示発光部。
【請求項２】
前記係止爪と前記支持端及び前記係止爪と前記上縁部が筐体を挟持することで、前記筐体に前記着信表示発光部を固定することを特徴とする請求項１記載の着信表示発光部。
【請求項３】
請求項２記載の着信表示発光部と発光部を含む携帯情報端末であって、
前記筐体とは前記携帯情報端末の筐体であって、
前記発光部発光時に前記着信表示発光部を透過して出光することを特徴とする携帯情報端末。
【請求項４】
前記着信表示発光部の上表面と前記筐体の外表面との間にマージンを設けることを特徴とする請求項３記載の携帯情報端末。
【請求項５】
弾性を有する係止爪、弾性を有さない支持端及び弾性を有さない上縁部を含む透光性を有する着信表示発光部と、
着信表示発行部取付部が設けられた筐体からなる携帯電話機の着信表示発光部取り付け方法であって、
前記支持端を前記着信表示発行部取付部に挿入するステップと、
前記着信表示発光部を押下することで前記係止爪を変形させると共に前記着信表示発光部を前記着信表示発行部取付部に挿入するステップとからなる携帯電話機の着信表示発光部取り付け方法。
【発明の詳細な説明】
【技術分野】
【０００１】
本発明は、携帯電話機、ＰＨＳ等の小型携帯無線機に用いる着信表示発光部及びその取り付け方法に関する。
【背景技術】
【０００２】
携帯電話機器及びＰＨＳ（パーソナルハンディフォンシステム）は、双方の全契約者数が国内で８７００万人を越え（２００４年５月末時点）、一般的に所持されるアイテムとなっている。これら携帯電話機等（以下「携帯電話機」と略）は通話機能以外の各種機能、例えば電子メール機能やウェブブラウザ機能、が標準機能として用意されている。しかし、その機能の中核に「通話」が存在するのは普遍的である。
【０００３】
また、携帯電話機の性能向上の一として、容積の圧縮が上げられる。すなわち筐体を小型化、軽量化することで携帯性を向上させ、使用感の向上を図るものである。
【０００４】
しかし、かかる高機能化を果たした携帯電話機であっても着呼を示す着信ランプが実用上必要不可欠である。この着信ランプは当初、携帯電話機の筐体にＬＥＤを直接露出するといったものであった。しかし、耐衝撃性などの観点から掛かる形態は姿を消し、基板上にＬＥＤを設置し、導光板を着信表示発光部として筐体より露出させる構成が一般的となった。
【０００５】
この着信表示発光部の固定方法として以下のような先行技術があげられる。
【０００６】
特開平０８−２１３９２８号公報では透光インディケータ（本書で言う着信表示発光部）用部材に外方へ延伸する接合部を設け、該接合部に空孔を備え、該空孔に筐体のエンボスを通して超音波溶着を行う旨が開示されている。
【０００７】
【特許文献１】特開平０８−２１３９２８号公報、図６及び図７
【発明の開示】
【発明が解決しようとする課題】
【０００８】
しかし、従来例には次のような課題がある。
【０００９】
すなわち、その構成上空孔を備えるだけの外延部を用意せざるを得ず、着信表示発光部自体の大型化が避けざるを得ない。これは「筐体の小型化、軽量化」をいう要請に反する。
【００１０】
また、超音波溶着することで、着信表示発光部のみの部品交換を行えなくなり、修理を行う際には筐体の該当部を交換せざるを得ない。
【００１１】
さらには超音波溶着で固定されていると、解体時に部品の峻別ができなくなるという弊害がある。
【００１２】
本発明は、非透過性の筐体に透過性の着信表示発光部を設ける際、超音波溶着等を用いることなく着信表示発光部を固定する方法を明示したものである。
【課題を解決するための手段】
【００１３】
本発明に係る着信表示発光部は、弾性を有する係止爪と弾性を有さない支持端と、弾性を有さない上縁部を含み、着信表示発光部が透光性を有することを特徴とする。
【００１４】
また、この係止爪と支持端及びこの係止爪と上縁部が筐体を挟持することで、筐体に着信表示発光部を固定することを特徴とする。
【００１５】
本発明に係る携帯電話機は上記にかかわる着信表示発光部と発光部を含み、発光部発光時に着信表示発光部を透過して出光することを特徴とする。
【００１６】
本発明に係る携帯電話機の着信表示発光部取り付け方法は、支持端を着信表示発光部取付部に挿入するステップと、着信表示発光部を押下することで係止爪を変形させると共に着信表示発光部を着信表示発行部取付部に挿入するステップとからなる。
【発明の効果】
【００１７】
上記構成をとることによって溶着等を行わずに着信表示発光部を筐体に固定することができ、着信表示発光部自体を小型にすることができ、携帯電話機全体の容積縮小に資する。また、筐体をそのまま流用して着信表示発光部のみの交換を可能にする。これにより、故障発生時の部品コストの増大を防止できる。
【００１８】
また、解体性を向上させ、材質の異なる素材の分別を容易にすることで廃棄物処理の効率化に資する。
【発明を実施するための最良の形態】
【００１９】
以下、本発明の実施の形態について図面を参照して説明する。
【００２０】
図１は本発明における携帯電話機の着信表示発光部１と上部筐体外側カバー２を表したものであり、図２は着信表示発光部１の斜視図である。
【００２１】
着信表示発光部１は全体として透明若しくは半透明の弾性素材よりできている。着呼やメールの着信などにより図示しない上部筐体内の基板上に配置されたＬＥＤが発光すると、ＬＥＤから発せられた光が着信表示発行部１を介して外部に露出し、操作者に着呼等の旨を表示する。
【００２２】
上部筐体外側カバー２は折畳型携帯電話機の筐体の構成部品である。ここで折畳型携帯電話機をもちいて説明している為、「上部筐体外側カバー」としている。しかし、必ずしも折畳型携帯電話機に限定するものではなく、ストレート型（キャンディバー型）、スライド型、いわゆる平面２軸ヒンジ使用折畳型などの携帯電話機などでも良い。また携帯電話機に限られず、ＰＤＡやノートパソコンにも本発明は適用可能である。また、折畳型携帯電話機であっても「下部筐体」側に本構造を設けても良い。
【００２３】
上部筐体外側カバー２には着信表示発光部取付部２１を含む。着信表示発行部取付部２１に図３に示す方法で装着することで、着信表示発光部１を固定する。
【００２４】
着信表示発光部１は引掛爪１１、支点爪１２及び上縁部１３を含む。
【００２５】
引掛爪（係止爪）１１は圧入時固定用の爪であり、一方、支点爪１２は着信表示発光部１圧入時の位置決め用の支点となる箇所である。
【００２６】
引掛爪１１は弾性を有し、弾性変形することで着信表示発光部取付部２１の最突出部が着信表示発光部取付部２１を通過する。着信表示発光部取付部２１通過後は変形していた引掛爪１１が元に戻ることによって、着信表示発光部１を上部筐体外側カバー２に固定する。
【００２７】
一方、支点爪（支持端）１２は樹脂素材の塊として存在する部分であり、弾性を有しない、若しくは極微量の変形を伴う極めて小さな弾性を有する。支点爪１２の目的は引掛爪１１の弾性変形時に生じる応力を支える役割を果たす。
【００２８】
上縁部１３は弾性を有しない、または弾性のきわめて小さい樹脂素材である。
【００２９】
また上表面１４は着信表示発光部１を着信表示発光部取付部２１に取り付けた際に外部に露出する着信表示発光部１の表面を言う。
【００３０】
なお、以降の説明でＡ−Ａ‘断面と述べるが、このＡ−Ａ’断面は図１のものを指す。すなわち、着信表示発光部取付部２１を通る長辺方向の断面である。
【００３１】
図３はこの着信表示発光部１を上部筐体外側カバー２に装着する際の処理フローを記した図１のＡ−Ａ‘断面の断面図である。
【００３２】
図３（ａ）は着信表示発光部１挿入前の着信表示発光部１及び上部筐体外側カバー２を表す。
【００３３】
図３（ｂ）は着信表示発光部１挿入時の挿入方向を表す。最初に着信表示発光部１の支点爪１２を着信表示発光部取付部２１内に挿入することを表す。
【００３４】
図３（ｃ）は引掛爪１１に対して変形応力を加えない範囲で着信表示発光部１を着信表示発光部取付部２１に押圧した際の図面である。この時点では引掛爪１１は弾性変形をしないため、着信表示発光部取付部２１上端で引掛爪１１が係止する。
【００３５】
図３（ｄ）はさらに着信表示発光部取付部２１に応力Ｃを加圧し、引掛爪１１に対して変形応力を加えた際の状態を表す図面である。図３（ｃ）からさらに着信表示発光部取付部２１を加圧すると引掛爪１１が弾性変形を起こし、引掛爪１１が着信表示発光部取付部２１上端を乗り越える。一方で、支点爪１２及び上縁部１３は弾性変形しないため、図で示す回転方向Ｄに向かって挿入される。
【００３６】
図３（ｅ）は着信表示発光部１に対して応力を加えた結果、着信表示発光部１が着信表示発光部取付部２１に取り付けられた状態を表す図である。引掛爪１１が弾性変形を起こし着信表示発光部取付部２１上端を完全に乗り越えると、上縁部１３が上部筐体外側カバー２に突接する。既述の通り、上縁部１３は引掛爪１１と異なり、弾性が無い若しくは若干しかない。従って、上部筐体外側カバー２に上縁部１３が当たっても上縁部１３は変形しない。一方で、引掛爪１１が着信表示発光部取付部２１を通過すると変形していた引掛爪１１が復元するため、着信表示発光部１が着信表示発光部取付部２１から脱落することを防止する。
【００３７】
図４は図３（ｅ）で着信表示発光部１を取り付けた上部筐体外側カバー２を携帯電話機に取り付けた際の着信表示発光部１周辺の拡大図である。
【００３８】
携帯電話機内には基板３及び発光部４が内包される。
【００３９】
基板３には発光部４の制御をする制御回路、無線回路などが構成されている。
【００４０】
発光部４は着呼及びメールの着信等があった際に発光する。発光部４が発光すると着信表示発光部１を透過して携帯電話機外部に出光し、操作者に対して着信があった旨を報知する。
【００４１】
ここで着信表示発光部１の上表面１４を、上部筐体外側カバー２の外表面よりΔｄ（本書で「マージン」という）だけ落とし込ませることで上表面１４の保護を図ると共に、意図して着信表示発光部１を操作者が取り外すことを防止する。
【００４２】
なお、本図では発光部４を着信表示発光部１直下に配置しているが、必ずしもこの構成にこだわるものではない。例えば、導光板等を用いて着信表示発光部１に光を導くような構成にしても良い。
【００４３】
次に筐体分解時の処理について述べる。
【００４４】
筐体分解時には図３の逆の処理を行えばよい。図５は、Ａ−Ａ‘断面における着信表示発光部１取り外し時の処理フローを表す図である。
【００４５】
最初に携帯電話機の着信表示発光部１が係止した状態で上部筐体外側カバー２を取り外す。図５（ａ）はその取り外した上体での上部筐体外側カバー２と着信表示発光部１である。
【００４６】
図５（ａ）において引掛爪１１を押圧することで（図５（ａ）の矢印）、引掛爪１１を弾性変形させ上部筐体外側カバー２との係止状態を解除する。
【００４７】
その後、係止が外れると上部筐体外側カバー２の裏面方向から力を着信表示発光部１に対して加える（図５（ｂ）の矢印）。これにより、着信表示発光部１が上部筐体外側カバー２から脱落し、容易に解体することが可能となる。
【００４８】
このような構成をとることで、組み立て時に容易に着信表示発光部１を装着可能となり作業工程が短縮する。また携帯電話運用時には着信表示発光部１の脱落を防止すると共に、解体時には逆に着信表示発光部１を容易に分解可能となる。これにより解体時の分別が容易となり、リサイクル性の向上が図れる。
【図面の簡単な説明】
【００４９】
【図１】着信表示発光部及び上部筐体外側カバーの斜視図である。
【図２】着信表示発光部を二方向から見た際の斜視図である。
【図３】着信表示発光部を上部筐体外側カバーに装着する際の処理フローを記したＡ−Ａ‘断面の断面図である。
【図４】着信表示発光部を取り付けた上部筐体外側カバーを携帯電話機に取り付けた際の着信表示発光部周辺の拡大図である。
【図５】Ａ−Ａ‘断面における着信表示発光部１取り外し時の処理フローを表す図である。
【符号の説明】
【００５０】
１：着信表示発光部
２：上部筐体外側カバー
３：基板
４：発光部
１１：引掛爪（係止爪）
１２：支点爪（支持端）
１３：上縁部
【図１】
2006345391.tif 000003
【図２】
2006345391.tif 000004
【図３】
2006345391.tif 000005
【図４】
2006345391.tif 000006
【図５】
2006345391.tif 000007